【手続補正書】
【提出日】平成25年12月5日(2013.12.5)
【手続補正１】
【補正対象書類名】特許請求の範囲
【補正対象項目名】全文
【補正方法】変更
【補正の内容】
【特許請求の範囲】
【請求項１】
タッチパネル式の表示手段を備え、筺体に対して移動可能に連結される表示部と、
前記表示手段に対するタッチ操作である手描き入力によってタッチされた座標に基づいて表示オブジェクトを描画する描画手段と、
前記表示部の前記筺体に対する位置関係を検出する検出手段と、
前記表示部が、前記表示手段の表示面がタッチ可能な位置であって、前記表示面に垂直方向に加わる力に対して前記表示部が移動しないように前記筺体によって支えられる特定の位置関係になったことを前記検出手段が検出した場合に、前記手描き入力を受け付けるための表示アイテムを前記表示手段に表示するように制御する制御手段と、を有することを特徴とする表示制御装置。
【請求項２】
タッチパネル式の表示手段を備え、筺体に対して移動可能に連結される表示部と、
前記表示手段に対するタッチ操作である手描き入力によってタッチされた座標に基づいて表示オブジェクトを描画する描画手段と、
前記表示部の前記筺体に対する位置関係を検出する検出手段と、
前記表示手段にタッチ操作可能なタッチボタンが表示されており、該タッチボタンへのタッチ操作を受け付け可能な状態から、前記表示部が、前記表示手段の表示面がタッチ可能な位置であって、前記表示面に垂直方向に加わる力に対して前記表示部が移動しないように前記筺体によって支えられる特定の位置関係になったことを前記検出手段が検出した場合に、前記手描き入力を受け付けるための動作モードに切り替えるように制御する制御手段と、を有することを特徴とする表示制御装置。
【請求項３】
前記制御手段は、前記表示部が前記特定の位置関係になったことを前記検出手段が検出した場合に、前記表示手段での表示状態を、タッチ操作可能なタッチボタンを含む第１の表示状態から、前記手描き入力を受け付けるための表示アイテムを含む第２の表示状態に切り替えるように制御することを特徴とする請求項１または２に記載の表示制御装置。
【請求項４】
前記制御手段は、前記第２の表示状態では、前記制御手段は、前記表示手段の表示面のうち、前記手書き入力が可能な範囲を示す表示を行うように制御することを特徴とする請求項３に記載の表示制御装置。
【請求項５】
前記制御手段は、前記第２の表示状態で、前記手書き入力が可能な範囲に対するタッチ入力が行われると、前記表示アイテムを非表示とするように制御することを特徴とする請求項３または４に記載の表示制御装置。
【請求項６】
前記制御手段は、前記第２の表示状態で、前記表示部が前記特定の位置関係から他の位置関係になったことを前記検出手段が検出した場合であっても、前記第２の表示状態を継続することを特徴とする請求項３乃至５のいずれか１項に記載の表示制御装置。
【請求項７】
前記制御手段は、前記第２の表示状態で、前記表示部が前記特定の位置関係から他の位置関係になったことを前記検出手段が検出した場合には、前記第２の表示状態から他の表示状態に切り替えることを特徴とする請求項３乃至５のいずれか１項に記載の表示制御装置。
【請求項８】
前記手描き入力を受け付けるための前記表示アイテムは、前記手書き入力におけるペンまたはスタンプの形状の選択肢、前記手書き入力によって描画される表示オブジェクトの色の選択肢、前記手書き入力によって描画された表示オブジェクトを消去する選択肢の少なくとも１つを表示させるための表示アイテムを含むことを特徴とする請求項３乃至７のいずれか１項に記載の表示制御装置。
【請求項９】
撮影レンズを介して結像される被写体像を撮像する撮像手段と、
前記撮像手段により撮像された映像を記録手段に記録する録画手段と、を更に備え、
前記制御手段は、前記録画手段による録画中であるとき、あるいは前記記録手段に記録された画像を再生中であるときの少なくともいずれかの場合は、前記検出手段が前記特定の位置関係を検出した場合であっても、前記第２の表示状態への切り替えを行わないことを特徴とする請求項３乃至８のいずれか１項に記載の表示制御装置。
【請求項１０】
前記特定の位置関係とは、前記表示手段の表示面を前記筺体の外側に向けて、前記表示手段の背面が前記筺体に対向する状態であることを特徴とする請求項１乃至９のいずれか１項に記載の表示制御装置。
【請求項１１】
前記表示制御装置は携帯が可能な携帯機器であり、
前記筺体をユーザが保持するためのグリップ部を有することを特徴とする請求項１０に記載の表示制御装置。
【請求項１２】
前記グリップ部は、前記筺体における、前記表示部が前記特定の位置関係において、前記表示手段の背面が対向する側とは反対側に配置されていることを特徴とする請求項１１に記載の表示制御装置。
【請求項１３】
前記グリップ部は、前記表示部が前記特定の位置関係において、前記表示面に垂直方向に加わる力に対して前記表示手段が移動しないように、ユーザが前記筺体を支えられるように設けられていることを特徴とする請求項１１または１２に記載の表示制御装置。
【請求項１４】
前記描画手段は、前記手描き入力時には、前記タッチ操作以外の操作を受け付けないことを特徴とする請求項１乃至１３のいずれか１項に記載の表示制御装置。
【請求項１５】
撮影レンズを介して結像される被写体像を撮像する撮像手段と、
前記撮影レンズを保護するレンズ保護手段と、を更に備え、
前記手描き入力時には、前記レンズ保護手段を保護状態にすることを特徴とする請求項１乃至１４のいずれか１項に記載の表示制御装置。
【請求項１６】
タッチパネル式の表示手段を備え、筺体に対して移動可能に連結される表示部と、
前記表示手段に対するタッチ操作である手描き入力によってタッチされた座標に基づいて表示オブジェクトを描画する描画手段と、を備える表示装置における表示制御方法であって、
前記表示部の前記筺体に対する位置関係を検出する検出工程と、
前記表示部が、前記表示手段の表示面がタッチ可能な位置であって、前記表示面に垂直方向に加わる力に対して前記表示部が移動しないように前記筺体によって支えられる特定の位置関係になったことを前記検出手段が検出した場合に、前記手描き入力を受け付けるための表示アイテムを前記表示手段に表示するように制御する制御工程と、を有することを特徴とする表示制御方法。
【請求項１７】
タッチパネル式の表示手段を備え、筺体に対して移動可能に連結される表示部と、
前記表示手段に対するタッチ操作である手描き入力によってタッチされた座標に基づいて表示オブジェクトを描画する描画手段と、を備える表示装置における表示制御方法であって、
前記表示部の前記筺体に対する位置関係を検出する検出工程と、
前記表示手段にタッチ操作可能なタッチボタンが表示されており、該タッチボタンへのタッチ操作を受け付け可能な状態から、前記表示部が、前記表示手段の表示面がタッチ可能な位置であって、前記表示面に垂直方向に加わる力に対して前記表示部が移動しないように前記筺体によって支えられる特定の位置関係になったことを前記検出手段が検出した場合に、前記手描き入力を受け付けるための動作モードに切り替えるように制御する制御工程と、を有することを特徴とする表示制御方法。
【請求項１８】
コンピュータを、請求項１乃至１５のいずれか１項に記載の表示制御装置の各手段として機能させるためのプログラム。
【請求項１９】
コンピュータを、請求項１乃至１５のいずれか１項に記載の表示制御装置の各手段として機能させるためのプログラムを記憶したコンピュータによる読み取りが可能な記憶媒体。